(57)【要約】【課題】バッテリ駆動で再生を行う場合に再生コンテンツを全部最後まで再生できるか否かを判断できる具体的な方法を工夫して製品化を図る。【解決手段】マイクロコンピュータ１０７において、メディアデータファイルの再生に要する再生時間を検出し、バッテリの電力残量を検出して電力残量データを生成する。該電力残量データと記録再生装置を構成する機器の稼動状態とを基に記録再生装置の駆動可能時間を算出し、前記検出された再生時間と前記算出された駆動可能時間とを比較し、メディアデータファイルを最後まで全部再生することが可能か否かを判定する。この判定の結果、メディアデータファイルの全部を再生することが不可能であると判断されたとき警告を発生する。【選択図】　　　図１
2004145997.tif 000002
【特許請求の範囲】
【請求項１】
動画像及び音声のうち少なくとも１つを含むメディアデータファイルをランダムアクセス可能な記録媒体に記録し、該記録媒体から読み出して再生する、少なくともバッテリで駆動される記録再生装置であって、
前記メディアデータファイルの再生に要する再生時間を検出する再生時間検出手段と、
前記バッテリの電力残量を検出し、電力残量データを生成する電力残量検出手段と、
前記電力残量データと前記記録再生装置を構成する機器の稼動状態とを基に前記記録再生装置の駆動可能時間を算出する駆動可能時間算出手段と、
前記再生時間検出手段によって検出された再生時間と前記駆動可能時間算出手段によって算出された駆動可能時間とを比較し、前記メディアデータファイルを最後まで全部再生することが可能か否かを判定する判定手段と、
前記判定手段によって前記メディアデータファイルの全部を再生することが不可能であると判断されたとき警告を発生する警告手段と
を有することを特徴とする記録再生装置。
【発明の詳細な説明】
【０００１】
【発明の属する技術分野】
本発明は、記録再生装置に関し、特に、動画像及び音声のうち少なくとも１つを含むメディアデータファイルをランダムアクセス可能な記録媒体に記録し、該記録媒体から読み出して再生する、少なくともバッテリで駆動される記録再生装置に関する。
【０００２】
上記記録再生装置は、例えば、光磁気ディスク、ハードディスク、メモリカード等のランダムアクセス可能なメディアを記録媒体とするデジタルビデオカメラ等である。
【０００３】
【従来の技術】
従来、一般家庭用のビデオデッキ、ビデオカメラでは、ビデオテープを記録媒体とする製品が一般的であったが、最近ではデジタル技術の進歩に伴いハードディスク、ＤＶＤ−ＲＡＭ等のディスク媒体を用いた製品が出てきている。これらの製品では、テープでは不可能であったランダムアクセスを生かした機能を搭載することにより付加価値を高めている。例えば、メディア（記録媒体）に記録された動画像や静止画像を代表画像（サムネイル画像）から選択することによって、選択された動画像や静止画像を即座に再生することができ、巻き戻しや早送りの待ち時間なしに再生を可能としている。
【０００４】
このような製品に搭載されている機能の中にプレイリスト機能と呼ばれるものがある。このプレイリスト機能とは、動画、静止画、音声などのメディアクリップの中から再生させたいクリップや、その再生順番を予め決めておき、それをディスク媒体にプレイリストとして保存する。再生時には、保存された複数のプレイリストの中から１つを選択するだけでユーザ（プレイリスト作成者）の意図した通りに一連の再生を実行することができる。このようなプレイリスト機能があれば、何度でも同様な再生を簡単に行うことができる。またこの一連の再生コンテンツをテープにダビングするような際にも面倒な編集作業がいらなくなる。
【０００５】
この様にディスク媒体をもち手記録再生を行う際に、プレイリストを用いて再生手順を変更する技術として、例えば以下の文献に記載の技術が知られている。
【０００６】
【特許文献１】
特開２００２−１７５６８０号公報
【０００７】
【発明が解決しようとする課題】
この様なプレイリスト機能はもともとパソコンや据え置き型ディスクビデオデッキなどで採用されてきたが、最近ではバッテリで動作する小型のディスクビデオカメラやデジタルカメラでも高機能化に伴い、搭載している製品が増えてきている。
【０００８】
しかし、こうしたビデオカメラ、デジタルカメラのような機器では、据え置き型の機器とは異なり、ＡＣ電源（家庭用コンセントなど）、バッテリの両者で駆動する製品がほとんどであり、そうした製品ではバッテリ駆動時の電力不足に伴うプレイリスト機能特有の問題がある。
【０００９】
すなわち、プレイリスト機能により、一連の複数のコンテンツを再生しようとしたときに、バッテリの電力不足から途中で停止するようなことがあると、再生内容が、直感的に分かりづらいものになったり、最後まで一気に見ることによって感情を高めたい場合などに支障があったりし、プレイリストの作者の狙いが外れるようなことがあり得る。
【００１０】
本発明はこのような問題点に鑑みてなされたものであって、バッテリ駆動で再生を行う場合に再生コンテンツを全部最後まで再生できるか否かを判断できる具体的な方法を工夫して製品化を図るようにした記録再生装置を提供することを目的とする。
【００１１】
【課題を解決するための手段】
上記目的を達成するために、請求項１記載の発明によれば、動画像及び音声のうち少なくとも１つを含むメディアデータファイルをランダムアクセス可能な記録媒体に記録し、該記録媒体から読み出して再生する、少なくともバッテリで駆動される記録再生装置であって、前記メディアデータファイルの再生に要する再生時間を検出する再生時間検出手段と、前記バッテリの電力残量を検出し、電力残量データを生成する電力残量検出手段と、前記電力残量データと前記記録再生装置を構成する機器の稼動状態とを基に前記記録再生装置の駆動可能時間を算出する駆動可能時間算出手段と、前記再生時間検出手段によって検出された再生時間と前記駆動可能時間算出手段によって算出された駆動可能時間とを比較し、前記メディアデータファイルを最後まで全部再生することが可能か否かを判定する判定手段と、前記判定手段によって前記メディアデータファイルの全部を再生することが不可能であると判断されたとき警告を発生する警告手段とを有することを特徴とする記録再生装置が提供される。
【００１２】
【発明の実施の形態】
以下、本発明の実施の形態を、図面を参照して説明する。
【００１３】
［第１の実施の形態］
図２は、本発明に係る記録再生装置の第１の実施の形態の構成を示す外観図であり、（Ａ）は記録再生装置の斜視図、（Ｂ）は記録再生装置におけるモードダイヤルを正面から見た図である。本実施の形態における記録再生装置はビデオカメラである。
【００１４】
図２（Ａ）中２０１はビデオカメラ本体である。ビデオカメラ本体２０１内部には、ハードディスク、光磁気ディスク等の記録媒体が収納され、例えば動画像に対してＭＰＥＧ（Ｍｏｖｉｎｇ　Ｐｉｃｔｕｒｅ　Ｅｘｐｅｒｔｓ　Ｇｒｏｕｐ）方式等の圧縮処理を施して得られたＭＰＥＧデータや、静止画像に対してＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ）方式等の圧縮処理を施して得られたＪＰＥＧデータが記録再生される。
【００１５】
２０２はレンズ部である。２０３はマイクであり、撮影時の音声を記録するために備えられている。２０４は電子式ビューファインダ（ＥＶＦ）であり、カメラ撮影時にユーザが被写体を狙ったり、確認したりするために備えられている。なお、ＥＶＦ２０４は本体２０１内の制御により動作をＯＦＦにすることができる。２０５はトリガスイッチである。トリガスイッチ２０５はプッシュボタンで構成され、撮影開始または終了の意思を本体２０１に伝達するたメニュザが操作するスイッチである。なお、本体２０１では基本的に、撮影開始してから終了するまでに得られた撮影データを一つのファイルとして名称を付与して記録する。このとき同時に、再生時に必要となる情報も記録するようにする。この情報は例えば、早送りなどの特殊再生を指示するものや各種の表示方法を指示するものである。
【００１６】
２０６はモードダイヤルであり、回転式のスイッチから構成される。図２（Ｂ）に示すように、モードダイヤル２０６には、再生モードに設定するための「再生」、カメラモードに設定するための「カメラ」、動作ＯＦＦにするための「ＯＦＦ」の表示がなされている。２１２は本体２０１に設けられた目印用のバーである。ユーザの操作によりモードダイヤル２０６が回転され、本体２０１は、バー２１２の位置にあるモードで起動する。再生モードでは、カメラ部がＯＦＦとなり、記録媒体に記録された画像が再生される他、コンテンツの編集や削除という機能もこのモード設定時に実行される。一方、カメラモードは撮影することを主目的としたモードである。
【００１７】
２０７は操作スイッチ群であり、ユーザが本体２０１を操作するための各種キーからなり、特に再生操作やメニュ操作等のためのキーが配置されている。２０８は液晶パネルであり、本体２０１側面に開閉自在に取り付けられ、ＥＶＦ２０４と同様に、カメラ撮影時に被写体像を確認するために使われ、再生時には再生画像が表示される。なお、液晶パネル２０８は、ＥＶＦ２０４と同様に、本体２０１からの制御によって動作ＯＦＦにすることができる。また液晶パネル２０８は、ヒンジによって本体２０１から開いている状態で、さらにヒンジを中心に回転可能になっている。２１１は、液晶パネル２０８の開状態及び閉状態を電気的に検出するためのパネル開閉検出スイッチである。パネル開閉検出スイッチ２１１は、液晶パネル２０８の閉状態では、液晶パネル２０８のフレームによって押される構造になっており、パネル開閉検出スイッチ２１１の押された状態と放された状態との二つの状態を制御系が認識可能になっている。２０９はスピーカであり、再生時に音声を出力する。２１０はバッテリであり、本体２０１に着脱可能になっている。
【００１８】
図１は、こうした外観をもつビデオカメラの制御系の構成を示すブロック図である。
【００１９】
図中１０７はマイクロコンピュータであり、システム全体の制御を行う。１０１はレンズユニット（図２のレンズ部２０２に相当）であり、例えば、集光のための固定レンズ群、変倍レンズ群、絞り、変倍レンズ群の動きで移動した結像位置を補正する機能と焦点調節を行う機能とを兼ね備えた補正レンズ群により構成される。これらのレンズ群により構成されるレンズユニット１０１によって、最終的に撮像センサの結像面上に被写体像が結像される。１０２は撮像センサ（ＣＣＤ；ｃｈａｒｇｅ　ｃｏｕｐｌｅｄ　ｄｅｖｉｃｅ）であり、光を電荷に変換し撮像信号を生成する。１０３はカメラ信号処理部であり、撮像信号に所定の処理を施しデジタル画像データを出力する。１０４はマイクユニット（図２のマイク２０９に相当）であり、所定の増幅器、帯域制限器、ＡＤ変換器等が含まれ、撮影時に入力した音声をデジタル音声データに変換して出力する。
【００２０】
１０５は圧縮処理部であり、カメラ信号処理部１０３から送られたデジタル画像データとマイクユニットから送られたデジタル音声データとに対して、ＭＰＥＧ方式等の圧縮処理をリアルタイムで行い、圧縮ビデオデータを出力する。また圧縮処理部１０５は、静止画像をＪＰＥＧ方式等により圧縮し、圧縮静止画像データを出力する機能も備えている。１０６はディスク制御部である。１０８はディスクであり、例えば光磁気ディスクのような書き換え可能な記録媒体からなる。ディスク１０８はディスク制御部１０６によって制御され、データの書き込み、読み出しを行う。この時、例えばＤＯＳファイルシステム等のパーソナルコンピュータで扱うことのできるフォーマットで読み書きする。なお各圧縮ビデオデータファイルには、記録時間等の付加情報が保存される。
【００２１】
１０９は伸張処理部であり、ディスク制御部１０６を介してディスク１０８から読み出されたＭＰＥＧデータをビデオデータに変換し出力する。伸張処理部１０９はまた、ＪＰＥＧデータを静止画像データに変換し出力することも可能である。伸張処理部１０９はさらに、画像を任意の大きさに縮小拡大して出力する機能を備えている。１１１はミキサであり、マイクロコンピュータ１０７からの制御により、カメラ信号処理部１０３からのカメラ画像信号と、伸張処理部１０９からの再生画像信号とのうち一方を選択して出力したり、必要な情報やビットマップ等を画像信号に重ね合わせたりする。またミキサ１１１は出力段を２チャネル備えており、それらをそれぞれ独立に制御することが可能である。
【００２２】
１１０はＥＶＦ（図２の電子式ビューファインダ２０４に相当）であり、１１２は液晶パネル（図２の液晶パネル２０８に相当）であり、ミキサ１１１から出力される画像信号をそれぞれ受け取る。ＥＶＦ１１０、液晶パネル１１２はそれぞれ電源が独立しており、マイクロコンピュータ１０７の制御によりシステムとは独立に電源ＯＮ、ＯＦＦすることができる。１１３はパネル開閉検出スイッチ（図２のパネル開閉検出スイッチ２１１に相当）であり、液晶パネル１１２の開閉状態をマイクロコンピュータ１０７に知らしめるものである。１１４はスピーカユニット（図２のスピーカ２０９に相当）であり、ＭＰＥＧデータの再生時に伸張処理部１０９から送られる音声信号を受け、音声を再生する。スピーカユニット１１４はまた、マイクロコンピュータ１０７からの制御により音量を可変する。
【００２３】
１１５は操作スイッチ群（図２の操作スイッチ群２０７に相当）であり、ユーザが機器を操作する際に使用する。１１５＿ａはセットキーであり、メニュ等に表示された項目の選択を決定したり実行させたりするときに押されるキーである。１１５＿ｂはプラスキー、１１５＿ｃはマイナスキーであり、やはりメニュ等に表示された複数の項目から一つを選択する時に用いるキーである。１１５＿ｅは再生キーである。１１５＿ｆはプレイリストキーであり、ユーザがこのキーを押すことによりプレイリストモードに遷移される。１１５＿ｇはメニュキーであり、各種設定項目や、使用頻度が低い機能項目等をまとめて表示するメニュモードに遷移したいとき、またはメニュモードから抜けたいときにユーザが押すキーである。操作スイッチ群１１５には少なくともこれらのキーが含まれている。
【００２４】
１１６はモードダイヤル（図２のモードダイヤル２０６に相当）であり、再生モード、カメラモード、ＯＦＦを選択するためのスイッチである。１１７はトリガスイッチ（図２のトリガスイッチ２０５に相当）であり、カメラモードに設定されているとき押されるたびに撮影開始ポイント、撮影終了ポイントのイベントを発生させ動画記録を指示する。１１８は静止画トリガスイッチであり、静止画撮影を実行するためのスイッチである。モードダイヤル１１６、トリガスイッチ１１７は、操作スイッチ群１１５と同様にユーザが操作するためのスイッチであり、ここでは独立しているが、これらを操作スイッチ群１１５に加えるようにしてもよい。なお図２では静止画トリガスイッチ１１８の図示は割愛した。
【００２５】
１３０はバッテリ（図２のバッテリ２１０に相当）であり、本体各ブロックに電源供給するものである。１２１は残量検出部であり、バッテリ１３０の残量を測定し、マイクロコンピュータ１０７にバッテリ残量データを送信する。一方、１３１はＡＣユニットであり、家庭用ＡＣ電源から本体にＤＣ電源を供給する場合に用いられるアダプタである。なおこのＡＣユニット１３１はバッテリ１３０の充電機能も併せ持つ。なお、マイクロコンピュータ１０７には、ＡＣユニット１３１が本体に装着されているか否かを示すＡＣユニット検出信号が入力される。
【００２６】
次に、本ビデオカメラに設定される再生モードについて説明する。
【００２７】
図３は、ビデオクリップの再生選択画面の一例を示す図である。
【００２８】
図中３０１は表示画面であり、ＥＶＦ１１０、液晶パネル１１２に表示される画面である。なお、テレビモニタに表示するためのビデオ出力端子やＰＣ、デジタルテレビ、ビデオデッキと接続するためのＩＥＥＥ１３９４端子やＵＳＢ端子などが搭載されており、それらにテレビモニタ、ＰＣ、デジタルテレビ、ビデオデッキがそれぞれ接続されている場合には、それらにも上記画面が表示される。３０３〜３０８はビデオクリップの代表画像である。代表画像とは、ビデオクリップの動画像の中の１フレームを所定の大きさに縮小した画像である。この代表画像はビデオクリップのファイル内ヘッダ部に収められているか、または必要なときに生成される。
【００２９】
３０９はカーソルであり、ビデオクリップを選択するためのものである。図３ではビデオクリップの代表画像３０５が選択されている。なおカーソル３０９はユーザのキー操作によって移動される。３１０はスライダ、３１１はポインタであり、現在表示されているサムネイル（代表画像）群が全体のどの辺りにあたるかをイメージ的に表している。
【００３０】
３０２はビデオクリップ情報であり、カーソル３０９で指されているビデオクリップに関する情報が表示される。図３の例では、ビデオクリップ情報３０２の上段の情報が、ディスク内に記録されている３０のビデオクリップのうち、所定方法の順にソートしたとき、ビデオクリップ３０５が１５番目であることを示している。ビデオクリップ情報３０２の下段の情報は、カーソル３０９で指されているビデオクリップのファイル名である。ここで再生を実行させるための再生キー１１５＿ｅを押すことにより、そのときにカーソル３０９が指示しているビデオクリップ（図３ではビデオクリップ３０５）の再生が開始され、例えば画面全体にビデオクリップ３０５が表示される。なお再生が終了すると、画面はビデオクリップ選択する表示画面３０１に戻る。これに変わって、停止キーを押されない限り、次に並ぶビデオクリップを順に再生し、これを最後のビデオクリップの再生まで続けるようにしてもよい。
【００３１】
３１２はバッテリの残量表示である。電池をイメージしたアイコンからなり、枠内の四角形が残量を示している。図３に示す例では、残量の多い順に四角形の数が３から０の間で変化し、さらに枠の点滅により５段階の表示ができる。また、残量検出の精度を上げることにより、稼動可能時間を併せて表示するようにしてもよい。なお、この表示画面３０１にはディスクの装着の有無等の各種情報を表示するようにしてもよい。またカーソル３０９を、代表画像の周りを額縁のように囲う表示方法によって表示するようにしてもよい。
【００３２】
図４は、ディスク１０８に保存されるビデオファイル及び管理ファイルのツリー構成を示す図である。ここでは、マイクロコンピュータ１１７により生成され、ディスク１０８に保存されるファイル名およびディレクトリ名が示される。
【００３３】
図中７０２から７０４は、ビデオファイルを保存するディレクトリ、７０１はその親ディレクトリである。７０５から７０７は、各ディレクトリに保存されているビデオファイル（または静止画像ファイル）群である。ファイル群７０５〜７０７内の各ブロック枠内にファイル名を示すが、ファイル名の拡張子（ピリオド以下）がＭＰＧのものがビデオファイルであり、ＪＰＧのものが静止画像ファイルである。ビデオファイル名の生成ルールとしては、ＡＢＣＤ０００１．ｍｐｇからＡＢＣＤ０１００．ｍｐｇというように、拡張子を除く符号のうち下４桁の番号を１ずつ加算することによって、ファイル名を生成する。ここでは説明の便宜上、各ブロック枠内のファイル名をＡＢＣＤ０１００．ｍｐｇまで生成したら、次回の生成は次のディレクトリを作成し、そこにファイル群を設けるものとする。なお、ファイル名の拡張子を除く符号のうち上４桁を、本実施の形態では固定にしたが、これに代わって、例えばディレクトリごとに変えるようにしてもよい。図４に示す例では、最初の撮影が行われ、ビデオファイルを保存する時にディレクトリ７０２が作成される。図４の例ではすでにディレクトリ７０２内には、ファイル名の上限であるＡＢＣＤ０１００．ｍｐｇまでのファイルが保存されているので、次のディレクトリ７０３に移り、同様にディレクトリ７０４に移っている。
【００３４】
ディレクトリ７０２〜７０４のディレクトリ名は、この実施の形態では３桁の番号＋固定文字列となっており、ファイル名と同様に、番号を１ずつ加算することによってディレクトリ名が作成される。
【００３５】
７０８は、付加機能を実現するために必要となるファイルを保存するディレクトリであり、ディレクトリ名はＭＩＳＣである。７０９、７１０、７１１、７１２は後で説明するプレイリストファイル（スクリプトファイル）であり、ファイル名はそれぞれ、ＰＬＩＳＴ０１．ＰＬＦ〜ＰＬＩＳＴ０４．ＰＬＦである。
【００３６】
さて、ここで説明したような記録メディアとしてディスクを採用した装置では、ディスクに格納されたデータに対してランダムアクセスが可能である。前述した再生モードにおいては、クリップを選択して再生する際、テープに比べはるかに速く再生を開始できる。それに加え、本発明のビデオカメラには、ランダムアクセス性を生かし、プレイリストモードを搭載している。次にこのプレイリストモードについて説明する。
【００３７】
プレイリスト（スクリプトデータ）とはディスクに記録されている各種のデータの再生手順を制御するためのデータであり、例えば、本実施の形態においては、再生したい複数のコンテンツ予め選択し、その生成順番などとともに、ディスクや本体に記憶させておく。再生時にはそのリストを選択するだけで一連の再生が実行されるものである。選択する例は後で説明する。選択指定できる内容は、単に再生コンテンツの選択と再生順番のみというものから、画像の大きさや位置を指定するものや、複数のコンテンツを同時に指定可能であるものまでさまざまである。これらの情報をディスクに記録する場合、バイナリデータで保存するか、ＨＴＭＬのような記述形式のテキストで保存する。後者の一例としては、Ｗｏｒｌｄ　Ｗｉｄｅ　Ｗｅｂ　Ｃｏｎｓｏｒｔｉｕｍ（Ｗ３Ｃ）が作成し公開している同期マルチメディア統合言語（Ｓｙｎｃｈｒｏｎｉｚｅｄ　Ｍｕｌｔｉｍｅｄｉａ　Ｉｎｔｅｇｒａｔｉｏｎ　Ｌａｎｇｕａｇｅ；ＳＭＩＬ）がある。パーソナルコンピュータの動画、静止画、音声等を再生するプレイヤソフトはこれに対応しているものが多い。本実施の形態では、先に説明したファイル名ＰＬＩＳＴ０１．ＰＬＦ、ＰＬＩＳＴ０２．ＰＬＦ、ＰＬＩＳＴ０３．ＰＬＦ、ＰＬＩＳＴ０４．ＰＬＦの各プレイリストファイル７０９〜７１２が、ユーザによって編集され保存されたプレイリスト情報が記述されたファイルであり、本実施の形態のビデオカメラには、４つのプレイリストが保存されている。なお本実施の形態では、プレイリストの編集動作に特徴がないので説明を割愛する。
【００３８】
次にプレイリストファイル（スクリプトファイル）に記述例を説明する。
【００３９】
図５は、ファイル名ＰＬＩＳＴ０１．ＰＬＦのプレイリストファイル７０９の内容の一例を示す図である。
【００４０】
図中８０１はプレイリストファイル７０９の内容を表すリストであり、ここではＨＴＭＬ方式のテキストで扱うものとし、ＨＴＭＬのタグを使って記述される。８０２はリストの開始を、８１８は終了を表すタグである。８０３はヘッダ部の開始、８１０はヘッダ部の終了を表し、付加情報等をこれらの間に記述する。８０９は付加情報の一例であり、８０４は付加情報をあらわすキーワードｍｅｔａである。ｍｅｔａ８０４は情報名と内容とを持つ。８０５は情報名のキーワードｎａｍｅであり、８０７は内容のキーワードｃｏｎｔｅｎｔである。８０６はｎａｍｅ８０５の値であり、ここでは“ｔｉｔｌｅ”、８０８はｃｏｎｔｅｎｔ８０７の値であり、ここでは“夏の旅行“である。
【００４１】
８１１は本体の開始、８１７は本体の終了をそれぞれ表すタグである。これらの間に記述された複数のビデオクリップが上から順に再生される。８１５，８１６はビデオタグであり、再生するビデオクリップを指定する。８１３はファイル名を指し示す識別子ｓｒｃである。８１４は指定されたビデオクリップのファイル名であり、プレイリストファイル７０９からの相対パスで表される。ビデオタグ８１６もビデオタグ８１５と同様である。ここに例示されるプレイリストファイル７０９に基づく再生を実行すると、親ディレクトリＤＣＩＭ７０１／ディレクトリ１０１ＩＭＡＧＥ７０２内のビデオクリップＡＢＣＤ０１０１．ＭＰＧが再生され、その後、ビデオクリップＡＢＣＤ０１０２．ＭＰＧが再生されて終了する。
【００４２】
なお静止画像をプレイリストとして指定する場合には、基本的に静止画像には時間の概念がないため、静止画像ごとに再生時間を指定するか、または各静止画像を一律な所定時間で再生するように指定する。
【００４３】
次に、複数のプレイリストファイルのうちから一つを選択する過程の説明をする。
【００４４】
図６は、モードダイヤル１１６を再生モードに合わせ、更にプレイリストキー１１５＿ｆを押すことにより、プレイリストモードに設定されたときの画面の一例を示す図である。
【００４５】
図中４０１はプレイリスト選択画面であり、画面全体を示す。４０２は、現在プレイリストモードであることを知らせるために表示されるタイトルである。４０４、４０６はサムネイル画像（代表画像）であり、現在選択されているプレイリストファイルに記述されているビデオクリップのサムネイル画像が再生順に表示される。４０５は矢印であり、左側のサムネイル画像のビデオクリップから右側のサムネイル画像のビデオクリップへの再生の流れを示すものである。４２０はプレイリスト表であり、現在記録されている複数のプレイリストの一覧表であり、欄番号（Ｎｏ）、作成日、再生に要する総時間、シーン数、タイトルがそれぞれ表示される。４２１は指示帯であり、現在選択されているプレイリストの欄を指示する。４２２、４２３は警告アイコンであり、Ｎｏ．２及びＮｏ．４のプレイリストには警告が存在することを表している。プレイリストを選択は、プラスキー１１５＿ｂ、マイナスキー１１５＿ｃを押すことにより指示帯４２１を上下に移動させて行う。ここではプラスキー１１５＿ｂを押すと下方向、マイナスキー１１５＿ｃを押すと上方向に移動するものとする。なお、プレイリストがさらに多数存在し、プレイリスト表４２０に収まらないときには、スクロールを使ってそれらを表示するようにする。
【００４６】
図６に示す例では、Ｎｏ．１のプレイリストが選択されており、このプレイリストを再生に要する総時間は１５分２０秒、シーン数は２である。よってプレイリスト選択画面４０１の上半部にはサムネイル画像が２つ（４０４，４０６）表示される。
【００４７】
つぎにＮｏ．２のプレイリストが選択された場合を説明する。
【００４８】
図７は、図６に示すプレイリスト選択画面においてプラスキー１１５＿ｂが一度押され、Ｎｏ．２のプレイリストが選択されたときのプレイリスト選択画面を示す図である。
【００４９】
プラスキー１１５＿ｂが一度押されることにより、指示帯４２１が一段下がりＮｏ．２のプレイリストが選択指示される。よってプレイリスト選択画面４０１の上半部にはＮｏ．２プレイリストに記述されている例えば５つのサムネイル画像５０４、５０６、５０８、５１０、５１２が順番に並んでいる。５０７、５０９、５１１は矢印であり、矢印４０５と同様に、サムネイル画像で代表されるビデオクリップの再生の流れを示している。
【００５０】
５０３はダイアログであり、警告アイコン４２２の内容が表示される。ダイアログ５０３には“現在のバッテリ残量では最後まで再生できません。”と警告を表示している。これは図１に示した残量検出部１２１によって、バッテリ残量データと機器の稼動状態とからマイクロコンピュータ１０７が再生可能時間を計算し、これをプレイリストの総時間と比較し、プレイリストの総時間のほうが長い場合に警告を発するようにしている。ここでいう機器の稼動状態とは、液晶パネル１１２がＯＮであるかＯＦＦであるかといったような再生動作そのもの以外のブロックの状態を指す。Ｎｏ．１のプレイリストのように現在のバッテリ残量で最後まで再生可能なものにはこの警告は表示されない。またこの比較は所定時間ごとに行われる。またＡＣユニット１３１が接続されているときは全て再生可能であるものとし、この警告表示は行われない。
【００５１】
５１３は再生不可領域を示しており、この領域で囲まれるサムネイル画像のビデオクリップは再生される前にバッテリ残量不足となりシャットダウンすると予測されることを示している。なお図７に示す例では、再生不可領域５１３がサムネイル画像５１０にほぼ半分ほど重なっているが、この場合、サムネイル画像５１０のビデオクリップのうち再生不可と予測される部分の割合を、重なった部分で示している。
【００５２】
本実施の形態では、ビデオクリップに関するプレイリスト再生を行っているときにバッテリ残量不足が発生した場合に警告を行うようにしているが、動画像または音声のファイルに関するプレイリスト再生を行っているときにバッテリ残量不足が発生した場合にも警告を発生させるようにしてもよい。
【００５３】
また本実施の形態では警告を画像表示で行うようにしているが、これに代わって、警告を音声で行うようにしてもよく、またその両者でもよい。
【００５４】
また本実施の形態では、プレイリストモードに設定される度にそれぞれのプレイリストファイルの総時間を計算することになるが、これに代わって例えば、図５を参照して説明した付加情報を表すキーワードｍｅｔａに再生所要時間が含まれる場合に、プレイリスト生成時に、これを用いてプレイリスト生成時に、書き込むことも可能である。またｍｅｔａデータに再生所要時間が含まれない場合には、プレイリスト生成時に、総時間を計算してプレイリスト生成時に書き加えるようにしてもよい。
【００５５】
以上説明したように本第１の実施の形態によれば、再生する前に、選択したプレイリストの全部が現在のバッテリ残量で再生可能か否かをユーザに知らしめ、これによって、使い勝手の向上を図るものである。また、再生可能であるか否かの判断では、マイクロコンピュータ１０７が、バッテリ残量データと機器の稼動状態とから再生可能時間を計算し、これをプレイリストの再生所要時間と比較し、プレイリストの再生所要時間のほうが長い場合に警告を発するようにしている。すなわち、バッテリ駆動で再生を行う場合に再生コンテンツを全部最後まで再生できるか否かを判断できる具体的な方法を提供して製品化を可能にしている。
【００５６】
［第２の実施の形態］
次に第２の実施の形態を説明する。
【００５７】
第２の実施の形態の構成は、基本的に第１の実施の形態の構成と同じである。そのため、第２の実施の形態の説明においては、第１の実施の形態の構成を流用し、異なる構成部分だけを説明する。
【００５８】
第２の実施の形態では、マイクロコンピュータ１０７において行われる制御処理の内容が、第１の実施の形態と異なっている。
【００５９】
第１の実施の形態ではプレイリスト再生等において、バッテリ残量が不足していると判断されたときに警告を発するようにしているが、例えばプレイリストファイル内に記述されているファイルが全て静止画像である場合など、一枚当たりの再生時間を減少させることにより、バッテリ残量だけで最後まで再生できるようにしてもよい。
【００６０】
そこで第２の実施の形態では、図６に示す再生選択画面において、Ｎｏ．２のプレイリストを再生するよう選択指示した場合に、通常プレイリスト再生を行うか、または短縮プレイリスト再生を行うかをユーザが選択できるようにする。図６に示す再生選択画面において、Ｎｏ．２のプレイリストを再生するよう選択指示した場合に、まず、図７に示す画面が表示された後、図８に示す画面が表示されるようにしてもよい。
【００６１】
図８は、図６に示す再生選択画面において、Ｎｏ．２のプレイリストを再生するよう選択指示した場合に表示される画面９０１を示す図である。
【００６２】
なお、図中９０１は図６に示す画面においてＮｏ．２のプレイリストを選択した時、つまり現在のバッテリ残量ではプレイリスト全部を再生することができないと判断されるプレイリストを選択した時に表示される画面である。９０３はプレイリストＮｏ．及びタイトルである。９０４はダイアログであり、現在のバッテリ残量では選択されたプレイリストを最後まで再生することができないことを警告すると共に、再生時間を短縮することにより最後まで再生できるようにするか、または通常再生を行うかをユーザに問いかけるものである。９０５はダイアログ９０４の問い合わせに対するユーザの選択肢であり、上から”はい”、“いいえ”、“戻る”である。ここで“はい”を選択すると短縮プレイプレイリスト再生を開始し、“いいえ”を選択すると通常のプレイリスト再生を開始し、“戻る”を選択すると前の画面に戻る。なお“戻る”の選択でプレイリストモードから抜ける仕様にしてもよい。９０６はカーソルであり、選択肢９０５の複数の選択肢の内どれを選択するかをユーザが選択指示するためのものである。操作としてはプラスキー１１５＿ｂ、マイナスキー１１５＿ｃでカーソル９０６を上下に動かし、セットキー１１５＿ａで決定し、対応の次のステップへそれぞれ遷移する。
【００６３】
なお、短縮プレイリスト再生での短縮方法としては、例えば再生ファイルが全て静止画像に関するものであって、それぞれの再生時間が指定されている場合、それらを同じ短縮割合で短縮するようにする。
【００６４】
以上のように、第２の実施の形態では、バッテリ残量を基にプレイリストを最後まで再生させることが可能か否かを予め知ることができる上、不可の場合には、静止画像の再生であれば、再生時間を短縮することによりダイジェスト的に最後まで全部再生させることが可能となる。
【００６５】
［他の実施の形態］
なお、本発明の目的は、各実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００６６】
この場合、記憶媒体から読み出されたプログラムコード自体が前述した各実施の形態の機能を実現することになり、そのプログラムコードを記憶した記憶媒体は本発明を構成することになる。
【００６７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００６８】
また、コンピュータが読み出したプログラムコードを実行することにより、上記各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００７０】
以上のように、本発明の様々な実施の形態を示し説明したが、以下に本発明の実施態様の例を列挙する。
【００７１】
〔実施態様１〕　動画像及び音声のうち少なくとも１つを含むメディアデータファイルをランダムアクセス可能な記録媒体に記録し、該記録媒体から読み出して再生する、少なくともバッテリで駆動される記録再生装置であって、
前記メディアデータファイルの再生に要する再生時間を検出する再生時間検出手段と、
前記バッテリの電力残量を検出し、電力残量データを生成する電力残量検出手段と、
前記電力残量データと前記記録再生装置を構成する機器の稼動状態とを基に前記記録再生装置の駆動可能時間を算出する駆動可能時間算出手段と、
前記再生時間検出手段によって検出された再生時間と前記駆動可能時間算出手段によって算出された駆動可能時間とを比較し、前記メディアデータファイルを最後まで全部再生することが可能か否かを判定する判定手段と、
前記判定手段によって前記メディアデータファイルの全部を再生することが不可能であると判断されたとき警告を発生する警告手段と
を有することを特徴とする記録再生装置。
【００７２】
〔実施態様２〕　前記バッテリは充電可能であることを特徴とする実施態様１に記載の記録再生装置。
【００７３】
〔実施態様３〕　画像表示手段を更に有し、
前記警告手段は、前記画像表示手段に前記警告を画像表示させることを特徴とする実施態様１に記載の記録再生装置。
【００７４】
〔実施態様４〕　発音発生手段を更に有し、
前記警告手段は、前記発音発生手段に前記警告を音声で発生させることを特徴とする実施態様１に記載の記録再生装置。
【００７５】
〔実施態様５〕　前記機器の稼動状態は、前記機器の少なくとも１つにおける稼動中と停止中の２つの状態を指すことを特徴とする実施態様１に記載の記録再生装置。
【００７６】
〔実施態様６〕　前記機器の少なくとも１つは、再生画像を表示する画像表示手段であることを特徴とする実施態様５に記載の記録再生装置。
【００７７】
〔実施態様７〕　撮像手段を更に有すること特徴とする実施態様１に記載の記録再生装置。
【００７８】
〔実施態様８〕　動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置であって、
前記選択されたスクリプトファイルにおける指定に従って前記対応のメディアデータファイルを再生するために要する再生時間を検出する再生時間検出手段と、
前記バッテリの電力残量を検出し、電力残量データを生成する電力残量検出手段と、
前記電力残量データと機器の稼動状態とから駆動可能時間を算出する駆動可能時間算出手段と、
前記再生時間検出手段によって検出された再生時間と前記駆動可能時間算出手段によって算出された駆動可能時間とを比較し、前記選択されたスクリプトファイルにおける指定に従って前記対応のメディアデータファイルを最後まで全部再生することが可能か否かを判定する判定手段と、
前記判定手段によって前記対応のメディアデータファイルの全部を最後まで再生することが不可能であると判断されたとき警告を発生する警告手段と
を有することを特徴とする記録再生装置。
【００７９】
〔実施態様９〕　前記バッテリは充電可能であることを特徴とする実施態様８に記載の記録再生装置。
【００８０】
〔実施態様１０〕　画像表示手段を更に有し、
前記警告手段は、前記画像表示手段に前記警告を画像表示させることを特徴とする実施態様８に記載の記録再生装置。
【００８１】
〔実施態様１１〕　発音発生手段を更に有し、
前記警告手段は、前記発音発生手段に前記警告を音声で発生させることを特徴とする実施態様８に記載の記録再生装置。
【００８２】
〔実施態様１２〕　スクリプトファイルが作成または変更されるとき、該スクリプトファイルにおける指定に従って対応のメディアデータファイルを全部再生するに要する時間を算出して、前記スクリプトファイルに保存し、
前記再生時間検出手段は、前記選択されたスクリプトファイルに保存された時間を前記再生時間として読み出すことを特徴とする実施態様８に記載の記録再生装置。
【００８３】
〔実施態様１３〕　前記機器の稼動状態は、前記機器の少なくとも１つにおける稼動中と停止中の２つの状態を指すことを特徴とする実施態様８に記載の記録再生装置。
【００８４】
〔実施態様１４〕　前記機器の少なくとも１つは、再生画像を表示する画像表示手段であることを特徴とする実施態様１３に記載の記録再生装置。
【００８５】
〔実施態様１５〕　撮像手段を更に有すること特徴とする実施態様８に記載の記録再生装置。
【００８６】
〔実施態様１６〕　スクリプトファイル内に、静止画像を含むメディアデータファイルが指定されているおり、かつ該メディアデータの再生時間が指定されていない場合に、該メディアデータファイルの再生時間を設定する設定手段を更に有すること特徴とする実施態様８に記載の記録再生装置。
【００８７】
〔実施態様１７〕　前記判定手段によって前記対応のメディアデータファイルの全部を最後まで再生することが不可能であると判断されたとき、再生時間を間引くことにより、前記駆動可能時間以内で前記対応のメディアデータファイルの全部を最後まで再生するようにする再生手段を、更に有すること特徴とする実施態様８に記載の記録再生装置。
【００８８】
〔実施態様１８〕　動画像及び音声のうち少なくとも１つを含むメディアデータファイルをランダムアクセス可能な記録媒体に記録し、該記録媒体から読み出して再生する、少なくともバッテリで駆動される記録再生装置に適用される再生方法であって、
前記メディアデータファイルの再生に要する再生時間を検出する再生時間検出ステップと、
前記バッテリの電力残量を検出し、電力残量データを生成する電力残量検出ステップと、
前記電力残量データと前記記録再生装置を構成する機器の稼動状態とを基に前記記録再生装置の駆動可能時間を算出する駆動可能時間算出ステップと、
前記再生時間検出ステップによって検出された再生時間と前記駆動可能時間算出ステップによって算出された駆動可能時間とを比較し、前記メディアデータファイルを最後まで全部再生することが可能か否かを判定する判定ステップと、
前記判定ステップによって前記メディアデータファイルの全部を再生することが不可能であると判断されたとき警告を発生する警告ステップと
を有することを特徴とする再生方法。
【００８９】
〔実施態様１９〕　動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置に適用される再生方法であって、
前記選択されたスクリプトファイルにおける指定に従って前記対応のメディアデータファイルを再生するために要する再生時間を検出する再生時間検出ステップと、
前記バッテリの電力残量を検出し、電力残量データを生成する電力残量検出ステップと、
前記電力残量データと機器の稼動状態とから駆動可能時間を算出する駆動可能時間算出ステップと、
前記再生時間検出ステップによって検出された再生時間と前記駆動可能時間算出ステップによって算出された駆動可能時間とを比較し、前記選択されたスクリプトファイルにおける指定に従って前記対応のメディアデータファイルを最後まで全部再生することが可能か否かを判定する判定ステップと、
前記判定ステップによって前記対応のメディアデータファイルの全部を最後まで再生することが不可能であると判断されたとき警告を発生する警告ステップと
を有することを特徴とする再生方法。
【００９０】
〔実施態様２０〕　動画像及び音声のうち少なくとも１つを含むメディアデータファイルをランダムアクセス可能な記録媒体に記録し、該記録媒体から読み出して再生する、少なくともバッテリで駆動される記録再生装置に適用される再生方法を、コンピュータに実行させるためのプログラムにおいて、
前記再生方法が、
前記メディアデータファイルの再生に要する再生時間を検出する再生時間検出ステップと、
前記バッテリの電力残量を検出し、電力残量データを生成する電力残量検出ステップと、
前記電力残量データと前記記録再生装置を構成する機器の稼動状態とを基に前記記録再生装置の駆動可能時間を算出する駆動可能時間算出ステップと、
前記再生時間検出ステップによって検出された再生時間と前記駆動可能時間算出ステップによって算出された駆動可能時間とを比較し、前記メディアデータファイルを最後まで全部再生することが可能か否かを判定する判定ステップと、
前記判定ステップによって前記メディアデータファイルの全部を再生することが不可能であると判断されたとき警告を発生する警告ステップと
を有することを特徴とするプログラム。
【００９１】
〔実施態様２１〕　動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置に適用される再生方法を、コンピュータに実行させるためのプログラムにおいて、
前記再生方法が、
前記選択されたスクリプトファイルにおける指定に従って前記対応のメディアデータファイルを再生するために要する再生時間を検出する再生時間検出ステップと、
前記バッテリの電力残量を検出し、電力残量データを生成する電力残量検出ステップと、
前記電力残量データと機器の稼動状態とから駆動可能時間を算出する駆動可能時間算出ステップと、
前記再生時間検出ステップによって検出された再生時間と前記駆動可能時間算出ステップによって算出された駆動可能時間とを比較し、前記選択されたスクリプトファイルにおける指定に従って前記対応のメディアデータファイルを最後まで全部再生することが可能か否かを判定する判定ステップと、
前記判定ステップによって前記対応のメディアデータファイルの全部を最後まで再生することが不可能であると判断されたとき警告を発生する警告ステップと
を有することを特徴とするプログラム。
【００９２】
〔実施態様２２〕　動画像及び音声のうち少なくとも１つを含むメディアデータファイルをランダムアクセス可能な記録媒体に記録し、該記録媒体から読み出して再生する、少なくともバッテリで駆動される記録再生装置に適用される再生方法をプログラムとして記憶した、コンピュータにより読み出し可能な記憶媒体において、
前記再生方法が、
前記メディアデータファイルの再生に要する再生時間を検出する再生時間検出ステップと、
前記バッテリの電力残量を検出し、電力残量データを生成する電力残量検出ステップと、
前記電力残量データと前記記録再生装置を構成する機器の稼動状態とを基に前記記録再生装置の駆動可能時間を算出する駆動可能時間算出ステップと、
前記再生時間検出ステップによって検出された再生時間と前記駆動可能時間算出ステップによって算出された駆動可能時間とを比較し、前記メディアデータファイルを最後まで全部再生することが可能か否かを判定する判定ステップと、
前記判定ステップによって前記メディアデータファイルの全部を再生することが不可能であると判断されたとき警告を発生する警告ステップと
を有することを特徴とする記録媒体。
【００９３】
〔実施態様２３〕　動画像、静止画像、及び音声のうち少なくとも１つをそれぞれ含む複数のメディアデータファイルと、該複数のメディアデータファイルのうち少なくとも１つを指定するとともに、該指定されたメディアデータファイルの再生方法を指定するデータをそれぞれ含む少なくとも１つのスクリプトファイルとを、ランダムアクセス可能な記録媒体に記録し、選択されたスクリプトファイルにおける指定に従って前記記録媒体から対応のメディアデータファイルを読み出して再生を行う、少なくともバッテリで駆動される記録再生装置に適用される再生方法をプログラムとして記憶した、コンピュータにより読み出し可能な記憶媒体において、
前記再生方法が、
前記選択されたスクリプトファイルにおける指定に従って前記対応のメディアデータファイルを再生するために要する再生時間を検出する再生時間検出ステップと、
前記バッテリの電力残量を検出し、電力残量データを生成する電力残量検出ステップと、
前記電力残量データと機器の稼動状態とから駆動可能時間を算出する駆動可能時間算出ステップと、
前記再生時間検出ステップによって検出された再生時間と前記駆動可能時間算出ステップによって算出された駆動可能時間とを比較し、前記選択されたスクリプトファイルにおける指定に従って前記対応のメディアデータファイルを最後まで全部再生することが可能か否かを判定する判定ステップと、
前記判定ステップによって前記対応のメディアデータファイルの全部を最後まで再生することが不可能であると判断されたとき警告を発生する警告ステップと
を有することを特徴とする記録媒体。
【００９４】
〔実施態様２４〕　バッテリより電力を供給され、情報データを有するデータファイルを記録媒体から再生する再生装置であって、
複数の前記データファイルが記録された前記記録媒体より前記データファイルを再生する再生手段と、
前記バッテリの電力残量を検出するバッテリ残量検出手段と、
前記検出されたバッテリ残量に基づいて前記再生手段の動作可能時間を検出する動作可能時間検出手段と、
前記複数のデータファイルのうち選択されたデータファイルの再生に要する時間を検出する再生時間検出手段と、
前記動作可能時間検出手段により検出された動作可能時間と前記再生時間検出手段により検出された再生時間とを比較する比較手段と、
前記比較手段の比較結果に応じた情報を表示装置に出力する出力手段と
を備えることを特徴とする再生装置。
【００９５】
〔実施態様２５〕　前記出力手段は、前記比較結果に基づいて前記選択されたデータファイルが全て再生可能か否かを判別し、再生不能である場合にはその旨を示す警告情報を表示することを特徴とする実施態様２４記載の再生装置。
【００９６】
〔実施態様２６〕　前記出力手段は更に、前記比較結果に基づいて前記選択されたデータファイルのうち再生可能な部分を判別し、前記再生可能部分を示す情報を表示することを特徴とする実施態様２５記載の再生装置。
【００９７】
〔実施態様２７〕　前記選択されたデータファイルは、前記記録媒体に記録されている複数のデータファイルの再生手順を記述したプレイリストにて指定されているデータファイルであることを特徴とする実施態様２４記載の再生装置。
【００９８】
【発明の効果】
以上詳述したように本発明によれば、メディアデータファイルの再生に要する再生時間を検出し、バッテリの電力残量を検出して電力残量データを生成する。該電力残量データと記録再生装置を構成する機器の稼動状態とを基に記録再生装置の駆動可能時間を算出し、前記検出された再生時間と前記算出された駆動可能時間とを比較し、メディアデータファイルを最後まで全部再生することが可能か否かを判定する。この判定の結果、メディアデータファイルの全部を再生することが不可能であると判断されたとき警告を発生する。
【００９９】
これによって、バッテリ駆動で再生を行う場合に、再生コンテンツ（メディアデータファイル）を全部最後まで再生できるか否かを判断できる具体的な方法を提供でき、バッテリ駆動時の電力不足に伴うプレイリスト機能特有の問題を解決した記録再生装置の製品化を実現できる。
【図面の簡単な説明】
【図１】第１の実施の形態に係るビデオカメラの制御系の構成を示すブロック図である。
【図２】本発明に係る記録再生装置の第１の実施の形態の構成を示す外観図である。
【図３】ビデオクリップの再生選択画面の一例を示す図である。
【図４】ディスクに保存されるビデオファイル及び管理ファイルのツリー構成を示す図である。
【図５】ファイル名ＰＬＩＳＴ０１．ＰＬＦのプレイリストファイルの内容の一例を示す図である。
【図６】モードダイヤルを再生モードに合わせ、更にプレイリストキーを押すことにより、プレイリストモードに設定されたときの画面の一例を示す図である。
【図７】図６に示すプレイリスト選択画面においてプラスキーが一度押され、Ｎｏ．２のプレイリストが選択されたときのプレイリスト選択画面を示す図である。
【図８】図６に示す再生選択画面において、Ｎｏ．２のプレイリストを再生するよう選択指示した場合に表示される画面を示す図である。
【符号の説明】
１０１・・・レンズユニット
１０２・・・ＣＣＤ
１０３・・・カメラ信号処理部
１０４・・・マイクユニット
１０５・・・圧縮処理部
１０６・・・ディスク制御部
１０７・・・マイクロコンピュータ（再生時間検出手段、駆動可能時間算出手段、判定手段、警告手段）
１０８・・・ディスク（記録媒体）
１０９・・・伸張処理部
１１０・・・電子式ビューファインダ（ＥＶＦ）
１１１・・・ミキサ
１１２・・・液晶パネル
１１３・・・パネル開閉検出スイッチ
１１４・・・スピーカユニット
１１５・・・操作キー
１１６・・・モードダイヤル
１１７・・・トリガスイッチ
１２１・・・バッテリ残量検出部（電力残量検出手段）
１３１・・・ＡＣユニット
２０１・・・ビデオカメラ本体
２０２・・・レンズ部
２０３・・・マイク
２０４・・・電子式ビューファインダ（ＥＶＦ）
２０５・・・トリガスイッチ
２０６・・・モードダイヤル
２０７・・・操作スイッチ群
２０８・・・液晶パネル
２０９・・・スピーカ
２１０・・・バッテリ
２１１・・・パネル開閉検出スイッチ
２１２・・・バー
３０１・・・表示画面
３０２・・・ビデオクリップ情報
３０３〜３０８・・・ビデオクリップの代表画像
３０９・・・カーソル
３１０・・・スライダ
３１１・・・ポインタ
３１２・・・バッテリ残量
【図１】
2004145997.tif 000003
【図２】
2004145997.tif 000004
【図３】
2004145997.tif 000005
【図４】
2004145997.tif 000006
【図５】
2004145997.tif 000007
【図６】
2004145997.tif 000008
【図７】
2004145997.tif 000009
【図８】
2004145997.tif 000010